(57)【要約】【課題】  睫毛に保持液を容易に付けることができるビューラーを提供すること。【解決手段】  開口６を有するビューラー本体４と、ビューラー本体４の開口６に上下方向に移動自在に装着された可動部材８と、ビューラー本体４に非作用位置と作用位置との間を移動自在に装着された噴射部材１０と、可動部材８を上下方向に移動させるための操作部材１２と、を備えたビューラー２。操作部材１２を操作すると、可動部材８が上方向に移動して上挟圧部と下挟圧部との間に睫毛が挟圧され、さらに操作部材１２を操作すると、可動部材８がビューラー本体４の一部に当接して上方向への移動が阻止されることによって、操作部材１２の一部が噴射部材１０に作用して本体部６４が非作用位置から作用位置に移動し、本体部６４の作用部６８がスプレー部材１４のノズル部７８に作用する。【選択図】  図６
2006305012.tif 000002
【特許請求の範囲】
【請求項１】
開口を有するビューラー本体と、前記ビューラー本体の前記開口に上下方向に移動自在に装着された可動部材と、前記ビューラー本体に非作用位置と作用位置との間を移動自在に装着された噴射部材と、前記可動部材を上下方向に移動させるための操作部材と、を備え、
前記噴射部材は、スプレー部材のノズル部を押圧するための作用部を有する本体部を備え、前記本体部の内部には、前記作用部から前記本体部の上端まで貫通して延びる噴射流路が形成されており、
前記ビューラー本体の前記開口の上側部は上挟圧部として機能し、前記可動部材の上端部は前記上挟圧部と協働して睫毛を挟圧するための下挟圧部として機能し、
前記操作部材を操作すると、前記可動部材が上方向に移動して前記上挟圧部と前記下挟圧部との間に睫毛が挟圧され、さらに前記操作部材を操作すると、前記可動部材が前記ビューラー本体の一部に当接して上方向への移動が阻止されることによって、前記操作部材の一部が前記噴射部材に作用して前記本体部が前記非作用位置から前記作用位置に移動し、前記本体部の前記作用部が前記スプレー部材の前記ノズル部に作用することを特徴とするビューラー。
【請求項２】
開口を有するビューラー本体と、前記ビューラー本体の前記開口に上下方向に移動自在に装着された可動部材と、前記ビューラー本体に非作用位置と作用位置との間を移動自在に装着された噴射部材と、前記可動部材を上下方向に移動させるための操作部材と、前記ビューラー本体に着脱自在に装着されたスプレー部材と、を備え、
前記スプレー部材は、睫毛を保持する保持液を噴射するためのノズル部を有し、前記噴射部材は、前記スプレー部材の前記ノズル部を押圧するための作用部を有する本体部を備え、前記本体部の内部には、前記作用部から前記本体部の上端まで貫通して延びる噴射流路が形成されており、
前記ビューラー本体の前記開口の上側部は上挟圧部として機能し、前記可動部材の上端部は前記上挟圧部と協働して睫毛を挟圧するための下挟圧部として機能し、
前記操作部材を操作すると、前記可動部材が上方向に移動して前記上挟圧部と前記下挟圧部との間に睫毛が挟圧され、さらに前記操作部材を操作すると、前記可動部材が前記ビューラー本体の一部に当接して上方向への移動が阻止されることによって、前記操作部材の一部が前記噴射部材に作用して前記本体部が前記非作用位置から前記作用位置に移動し、前記本体部の前記作用部が前記スプレー部材の前記ノズル部に作用することを特徴とするビューラー。
【請求項３】
前記ビューラー本体の前記開口の上側部又は前記可動部材の前記上端部には第１当接部が設けられ、また前記本体部の外側部には第２当接部が設けられており、
前記操作部材を操作すると、前記可動部材が上方向に移動して前記上挟圧部と前記下挟圧部との間に睫毛が挟圧され、さらに前記操作部材を操作すると、前記可動部材が前記第１当接部に当接する又は前記第１当接部が前記開口の上側部に当接して上方向への移動が阻止されることによって、前記操作部材の一部が前記第２当接部に作用して前記本体部が前記非作用位置から前記作用位置に移動し、前記本体部の前記作用部が前記スプレー部材の前記ノズル部に作用することを特徴とする請求項１又は２に記載のビューラー。
【請求項４】
前記本体部に関連して移動阻止機構が設けられており、前記移動阻止機構は、前記本体部の移動を阻止する移動阻止状態と前記本体部の移動の阻止を解除する移動解除状態とに選択的に保持され、前記操作部材を操作することにより前記可動部材が上方向に移動して前記ビューラー本体の一部に当接すると、前記移動阻止機構は前記移動阻止状態から前記移動解除状態となって、前記本体部の前記作用位置への移動が許容されることを特徴とする請求項１又は２に記載のビューラー。
【請求項５】
前記移動阻止機構は、前記噴射部材の前記本体部に設けられた係止片と、前記ビューラー本体に設けられた係止用孔と、から構成され、前記係止片は、前記ビューラー本体の前記係止用孔に係止される係止位置と、前記係止用孔から外れる解除位置との間を揺動自在に構成されており、
前記移動阻止機構が前記移動阻止状態にあるときには、前記係止片が前記係止位置に位置して前記本体部の移動が阻止され、また前記移動阻止機構が前記移動解除状態になると、前記係止片が前記解除位置に位置付けられて前記本体部の前記作用位置への移動が許容されることを特徴とする請求項４に記載のビューラー。
【請求項６】
前記移動阻止機構は、前記可動部材に設けられた作用突部と、前記噴射部材の前記本体部に設けられた板バネ部材と、前記ビューラー本体に設けられた係止部材と、から構成され、前記板バネ部材は係止用開口を有し、前記係止用開口が前記係止部材に係止される係止位置と、前記係止用開口が前記係止部材から外れる解除位置との間を弾性的に移動自在に構成されており、
前記移動阻止機構が前記移動阻止状態にあるときには、前記板バネ部材が前記係止位置に位置して前記本体部の移動が阻止され、また前記移動阻止機構が前記移動解除状態になると、前記板バネ部材が前記解除位置に位置付けられて前記本体部の前記作用位置への移動が許容されることを特徴とする請求項４に記載のビューラー。
【請求項７】
前記移動阻止機構は、前記噴射部材の前記本体部に設けられた係止用孔と、前記ビューラー本体に設けられた係止部材と、から構成され、前記係止部材は、前記本体部の前記係止用孔に係止される係止位置と、前記係止用孔から外れる解除位置との間を揺動自在に構成されており、
前記移動阻止機構が前記移動阻止状態にあるときには、前記係止部材が前記係止位置に位置して前記本体部の移動が阻止され、また前記移動阻止機構が前記移動解除状態になると、前記係止部材が前記解除位置に位置付けられて前記本体部の前記作用位置への移動が許容されることを特徴とする請求項４に記載のビューラー。
【請求項８】
前記本体部の前記作用部には筒状のカバー部が設けられており、前記本体部が前記非作用位置から前記作用位置に移動して前記作用部が前記ノズル部に作用すると、前記ノズル部の周囲が前記カバー部により覆われることを特徴とする請求項１〜７のいずれかに記載のビューラー。
【請求項９】
開口を有するビューラー本体と、前記ビューラー本体の前記開口に上下方向に移動自在に装着された可動部材と、前記ビューラー本体に非作用位置と作用位置との間を移動自在に装着された噴射部材と、前記可動部材を上下方向に移動させるための操作部材と、前記ビューラー本体に着脱自在に装着されたスプレー部材と、を備え、
前記スプレー部材は、睫毛を保持する保持液を噴射するためのノズル部を有し、前記ノズル部には被作用部が設けられており、前記噴射部材は、前記ノズル部の前記被作用部に作用する作用部を有する本体部を備え、前記作用部は前記被作用部に嵌合されるよう構成され、前記本体部の内部には、上下方向に貫通して延びる第１噴射流路が形成され、また前記被作用部の内部には、前記第１噴射流路と連通して上下方向に貫通して延びる第２噴射流路が形成されており、
前記ビューラー本体の前記開口の上側部は上挟圧部として機能し、前記可動部材の上端部は前記上挟圧部と協働して睫毛を挟圧するための下挟圧部として機能し、
前記操作部材を操作すると、前記可動部材が上方向に移動して前記上挟圧部と前記下挟圧部との間に睫毛が挟圧され、さらに前記操作部材を操作すると、前記可動部材が前記ビューラー本体の一部に当接して上方向への移動が阻止されることによって、前記操作部材の一部が前記噴射部材に作用して前記本体部が前記非作用位置から前記作用位置に移動し、前記本体部の前記作用部が前記ノズル部の前記前記被作用部に嵌合して作用することを特徴とするビューラー。
【発明の詳細な説明】
【技術分野】
【０００１】
本発明は、睫毛をカールさせた状態に維持するためのビューラーに関する。
【背景技術】
【０００２】
近年、女性の化粧の中心は目となり、アイメイクが化粧の重要なポイントの一つとなっている。アイメイクでは例えばマスカラが用いられ、このマスカラを睫毛に付けて睫毛をカールさせることにより、睫毛にボリューム感を持たせるとともに、睫毛を長く見せることができる。しかしながら、このように睫毛にマスカラを付けると、その重量によって時間の経過とともに睫毛が下方に下がるようになるため、ビューラーなどを用いて睫毛を適宜上方に上げることにより、睫毛をカールさせた状態に維持させている（例えば、特許文献１参照）。このようにビューラーを用いて睫毛を上方に上げる場合、その効果の持続時間は比較的短いため、睫毛をカールさせた状態に長時間維持させるためには、何度も繰り返しビューラーを使用しなければならない。
【０００３】
【特許文献１】特開平１０−２９５４３３号公報
【発明の開示】
【発明が解決しようとする課題】
【０００４】
このようなことから、例えば仕上げ用スプレーなどを用いて保持液を睫毛に付けることも考えられるが、仕上げ用スプレーなどを用いて睫毛に保持液を付ける際には、例えば、片方の手でビューラーを操作して睫毛を所望の形状に保持させ、他方の手で仕上げ用スプレーを操作して睫毛に保持液を付けるなどして、ビューラーと仕上げ用スプレーとを別々に操作しなければならず、睫毛に保持液を容易に付けることができないという問題がある。また、仕上げ用スプレーから噴射された保持液が飛散して目やその周囲に付着し、目の粘膜やその周囲の皮膚などを痛めてしまうおそれがある。
【０００５】
本発明の目的は、睫毛に保持液を容易に且つ安全に付けることができるビューラーを提供することである。
また、本発明の他の目的は、保持液を睫毛に付ける際に、目やその周囲に保持液が付着するのを防止することができるビューラーを提供することである。
【課題を解決するための手段】
【０００６】
本発明の請求項１に記載のビューラーでは、開口を有するビューラー本体と、前記ビューラー本体の前記開口に上下方向に移動自在に装着された可動部材と、前記ビューラー本体に非作用位置と作用位置との間を移動自在に装着された噴射部材と、前記可動部材を上下方向に移動させるための操作部材と、を備え、
前記噴射部材は、スプレー部材のノズル部を押圧するための作用部を有する本体部を備え、前記本体部の内部には、前記作用部から前記本体部の上端まで貫通して延びる噴射流路が形成されており、
前記ビューラー本体の前記開口の上側部は上挟圧部として機能し、前記可動部材の上端部は前記上挟圧部と協働して睫毛を挟圧するための下挟圧部として機能し、
前記操作部材を操作すると、前記可動部材が上方向に移動して前記上挟圧部と前記下挟圧部との間に睫毛が挟圧され、さらに前記操作部材を操作すると、前記可動部材が前記ビューラー本体の一部に当接して上方向への移動が阻止されることによって、前記操作部材の一部が前記噴射部材に作用して前記本体部が前記非作用位置から前記作用位置に移動し、前記本体部の前記作用部が前記スプレー部材の前記ノズル部に作用することを特徴とする。
【０００７】
また、本発明の請求項２に記載のビューラーでは、開口を有するビューラー本体と、前記ビューラー本体の前記開口に上下方向に移動自在に装着された可動部材と、前記ビューラー本体に非作用位置と作用位置との間を移動自在に装着された噴射部材と、前記可動部材を上下方向に移動させるための操作部材と、前記ビューラー本体に着脱自在に装着されたスプレー部材と、を備え、
前記スプレー部材は、睫毛を保持する保持液を噴射するためのノズル部を有し、前記噴射部材は、前記スプレー部材の前記ノズル部を押圧するための作用部を有する本体部を備え、前記本体部の内部には、前記作用部から前記本体部の上端まで貫通して延びる噴射流路が形成されており、
前記ビューラー本体の前記開口の上側部は上挟圧部として機能し、前記可動部材の上端部は前記上挟圧部と協働して睫毛を挟圧するための下挟圧部として機能し、
前記操作部材を操作すると、前記可動部材が上方向に移動して前記上挟圧部と前記下挟圧部との間に睫毛が挟圧され、さらに前記操作部材を操作すると、前記可動部材が前記ビューラー本体の一部に当接して上方向への移動が阻止されることによって、前記操作部材の一部が前記噴射部材に作用して前記本体部が前記非作用位置から前記作用位置に移動し、前記本体部の前記作用部が前記スプレー部材の前記ノズル部に作用することを特徴とする。
【０００８】
さらに、本発明の請求項３に記載のビューラーでは、前記ビューラー本体の前記開口の上側部又は前記可動部材の前記上端部には第１当接部が設けられ、また前記本体部の外側部には第２当接部が設けられており、
前記操作部材を操作すると、前記可動部材が上方向に移動して前記上挟圧部と前記下挟圧部との間に睫毛が挟圧され、さらに前記操作部材を操作すると、前記可動部材が前記第１当接部に当接する又は前記第１当接部が前記開口の上側部に当接して上方向への移動が阻止されることによって、前記操作部材の一部が前記第２当接部に作用して前記本体部が前記非作用位置から前記作用位置に移動し、前記本体部の前記作用部が前記スプレー部材の前記ノズル部に作用することを特徴とする。
【０００９】
また、本発明の請求項４に記載のビューラーでは、前記本体部に関連して移動阻止機構が設けられており、前記移動阻止機構は、前記本体部の移動を阻止する移動阻止状態と前記本体部の移動の阻止を解除する移動解除状態とに選択的に保持され、前記操作部材を操作することにより前記可動部材が上方向に移動して前記ビューラー本体の一部に当接すると、前記移動阻止機構は前記移動阻止状態から前記移動解除状態となって、前記本体部の前記作用位置への移動が許容されることを特徴とする。
【００１０】
さらに、本発明の請求項５に記載のビューラーでは、前記移動阻止機構は、前記噴射部材の前記本体部に設けられた係止片と、前記ビューラー本体に設けられた係止用孔と、から構成され、前記係止片は、前記ビューラー本体の前記係止用孔に係止される係止位置と、前記係止用孔から外れる解除位置との間を揺動自在に構成されており、
前記移動阻止機構が前記移動阻止状態にあるときには、前記係止片が前記係止位置に位置して前記本体部の移動が阻止され、また前記移動阻止機構が前記移動解除状態になると、前記係止片が前記解除位置に位置付けられて前記本体部の前記作用位置への移動が許容されることを特徴とする。
【００１１】
また、本発明の請求項６に記載のビューラーでは、前記移動阻止機構は、前記可動部材に設けられた作用突部と、前記噴射部材の前記本体部に設けられた板バネ部材と、前記ビューラー本体に設けられた係止部材と、から構成され、前記板バネ部材は係止用開口を有し、前記係止用開口が前記係止部材に係止される係止位置と、前記係止用開口が前記係止部材から外れる解除位置との間を弾性的に移動自在に構成されており、
前記移動阻止機構が前記移動阻止状態にあるときには、前記板バネ部材が前記係止位置に位置して前記本体部の移動が阻止され、また前記移動阻止機構が前記移動解除状態になると、前記板バネ部材が前記解除位置に位置付けられて前記本体部の前記作用位置への移動が許容されることを特徴とする。
【００１２】
さらに、本発明の請求項７に記載のビューラーでは、前記移動阻止機構は、前記噴射部材の前記本体部に設けられた係止用孔と、前記ビューラー本体に設けられた係止部材と、から構成され、前記係止部材は、前記本体部の前記係止用孔に係止される係止位置と、前記係止用孔から外れる解除位置との間を揺動自在に構成されており、
前記移動阻止機構が前記移動阻止状態にあるときには、前記係止部材が前記係止位置に位置して前記本体部の移動が阻止され、また前記移動阻止機構が前記移動解除状態になると、前記係止部材が前記解除位置に位置付けられて前記本体部の前記作用位置への移動が許容されることを特徴とする。
【００１３】
また、本発明の請求項８に記載のビューラーでは、前記本体部の前記作用部には筒状のカバー部が設けられており、前記本体部が前記非作用位置から前記作用位置に移動して前記作用部が前記ノズル部に作用すると、前記ノズル部の周囲が前記カバー部により覆われることを特徴とする。
【００１４】
さらに、本発明の請求項９に記載のビューラーでは、開口を有するビューラー本体と、前記ビューラー本体の前記開口に上下方向に移動自在に装着された可動部材と、前記ビューラー本体に非作用位置と作用位置との間を移動自在に装着された噴射部材と、前記可動部材を上下方向に移動させるための操作部材と、前記ビューラー本体に着脱自在に装着されたスプレー部材と、を備え、
前記スプレー部材は、睫毛を保持する保持液を噴射するためのノズル部を有し、前記ノズル部には被作用部が設けられており、前記噴射部材は、前記ノズル部の前記被作用部に作用する作用部を有する本体部を備え、前記作用部は前記被作用部に嵌合されるよう構成され、前記本体部の内部には、上下方向に貫通して延びる第１噴射流路が形成され、また前記被作用部の内部には、前記第１噴射流路と連通して上下方向に貫通して延びる第２噴射流路が形成されており、
前記ビューラー本体の前記開口の上側部は上挟圧部として機能し、前記可動部材の上端部は前記上挟圧部と協働して睫毛を挟圧するための下挟圧部として機能し、
前記操作部材を操作すると、前記可動部材が上方向に移動して前記上挟圧部と前記下挟圧部との間に睫毛が挟圧され、さらに前記操作部材を操作すると、前記可動部材が前記ビューラー本体の一部に当接して上方向への移動が阻止されることによって、前記操作部材の一部が前記噴射部材に作用して前記本体部が前記非作用位置から前記作用位置に移動し、前記本体部の前記作用部が前記ノズル部の前記前記被作用部に嵌合して作用することを特徴とする。
【発明の効果】
【００１５】
本発明の請求項１に記載のビューラーによれば、操作部材を操作すると、可動部材が上方向に移動して上挟圧部と下挟圧部との間に睫毛が挟圧され、さらに操作部材を操作すると、本体部が非作用位置から作用位置に移動して本体部の作用部がスプレー部材のノズル部に作用するので、睫毛の保持と睫毛への保持液の噴射とを一操作でもって行うことができ、睫毛に保持液を容易に付けることが可能となる。また、睫毛を上挟圧部と下挟圧部との間に挟圧した際に、目やその周囲がビューラー本体の開口よりも上側部分及び可動部材により覆われるので、保持液を睫毛に付ける際に保持液が目やその周囲に付着するのを防止することが可能となる。さらに、可動部材がビューラー本体の一部に当接して上方向への移動が阻止されることによって操作部材の一部が噴射部材に作用するので、目やその周囲がビューラー本体の開口よりも上側部分及び可動部材により覆われる前に、保持液がノズル部より噴射されることがなく、使用に際しての充分な安全性を確保することができるとともに、保持液が目やその周囲に付着するのを確実に防止することが可能となる。
【００１６】
また、本発明の請求項２に記載のビューラーによれば、睫毛の保持と睫毛への保持液の噴射とを一操作でもって行うことができ、睫毛に保持液を容易に付けることが可能となる。また、睫毛を上挟圧部と下挟圧部との間に挟圧した際に、目やその周囲がビューラー本体の開口よりも上側部分及び可動部材により覆われるので、保持液を睫毛に付ける際に保持液が目やその周囲に付着するのを防止することが可能となり、また可動部材の移動が阻止されることによって初めて操作部材が噴射部材に作用するようになるので、使用上の充分な安全性を確保することができる。さらに、スプレー部材はビューラー本体に着脱自在に装着されるので、例えばスプレー部材内の保持液を全て使い切った場合には、スプレー部材を新しいものに容易に交換することができ、利便性の高いビューラーを提供することが可能となる。
【００１７】
さらに、本発明の請求項３に記載のビューラーによれば、ビューラー本体の開口の上側部（又は、可動部材の上端部）には第１当接部が設けられているので、可動部材が上方向に移動して第１当接部に当接した（又は、第１当接部がビューラー本体の開口の上側部に当接した）際に、上挟圧部と下挟圧部との間に僅かな空隙を形成することができ、これにより睫毛が必要以上に強い力で挟圧されることがなく、アイメイクによりカールさせた睫毛の形状が崩れてしまうのを防止することが可能となる。また、本体部の外側部には第２当接部が設けられ、操作部材の一部がこの第２当接部に作用するので、操作部材の操作によって本体部を非作用位置から作用位置に確実に移動させることが可能となる。
【００１８】
また、本発明の請求項４に記載のビューラーによれば、本体部に関連して移動阻止機構が設けられ、操作部材を操作することにより可動部材が上方向に移動してビューラー本体の一部に当接することによって、移動阻止機構は移動阻止状態から移動解除状態となるので、目やその周囲がビューラー本体の開口よりも上側部分及び可動部材により覆われる前に、本体部が非作用位置から作用位置に移動することがなく、使用上の充分な安全性を確保することができる。
【００１９】
さらに、本発明の請求項５に記載のビューラーによれば、移動阻止機構は、噴射部材の本体部に設けられた係止片と、ビューラー本体に設けられた係止用孔と、から構成され、移動阻止機構が移動阻止状態にあるときには、係止片が係止位置に位置付けられて係止片がビューラー本体の係止用孔に係止されるので、本体部の移動を確実に阻止することができる。また、移動阻止機構が移動解除状態になると、係止片が解除位置に位置付けられて係止片が係止用孔から外れるので、本体部を非作用位置から作用位置に向けて移動させることが可能となり、使用上の充分な安全性を確保することができる。
【００２０】
また、本発明の請求項６に記載のビューラーによれば、移動阻止機構は、可動部材に設けられた作用突部と、噴射部材の本体部に設けられた板バネ部材と、ビューラー本体に設けられた係止部材と、から構成され、移動阻止機構が移動阻止状態のときには、板バネ部材が係止位置に位置付けられて係止部材が板バネ部材の係止用開口に係止されるので、本体部の移動を確実に阻止することができる。また、移動阻止部材が移動解除状態になると、板バネ部材が解除位置に位置付けられて係止部材が係止用開口から外れるので、本体部を非作用位置から作用位置に向けて移動させることが可能となり、使用上の充分な安全性を確保することができる。
【００２１】
さらに、本発明の請求項７に記載のビューラーによれば、移動阻止機構は、噴射部材の本体部に設けられた係止用孔と、ビューラー本体に設けられた係止部材と、から構成され、移動阻止機構が移動阻止状態のときには、係止部材が係止位置に位置付けられて係止部材が本体部の係止用孔に係止されるので、本体部の移動を確実に阻止することができる。また、移動阻止機構が移動解除状態になると、係止部材が解除位置に位置付けられて係止部材が係止用孔から外れるので、本体部を非作用位置から作用位置に向けて移動させることが可能となり、使用上の充分な安全性を確保することができる。
【００２２】
また、本発明の請求項８に記載のビューラーによれば、本体部の作用部には筒状のカバー部が設けられ、本体部の作用部がノズル部に作用するとノズル部の周囲がカバー部により覆われるので、ノズル部から噴射される保持液がノズル部の周囲に飛散するのを防止することができ、ノズル部からの保持液を本体部の噴射流路に効率よく導くことが可能となる。
【００２３】
さらに、本発明の請求項９に記載のビューラーによれば、スプレー部材のノズル部には被作用部が設けられ、噴射部材の本体部の作用部はこの被作用部と嵌合されるように構成されているので、本体部の作用部をノズル部の被作用部に確実に作用させることが可能となる。また、例えば本体部の作用部が、被作用部の設けられていないノズル部に作用しないように構成することにより、誤って他の種類のスプレー部材をビューラー本体に取り付けられるのを防止することができる。
【発明を実施するための最良の形態】
【００２４】
以下、添付図面を参照して、本発明に従うビューラーの各種実施形態について説明する。
第１の実施形態
まず、図１〜図８を参照して、第１の実施形態のビューラーについて説明する。図１は、第１の実施形態によるビューラーの可動部材が開位置に位置付けられた状態を示す斜視図であり、図２は、図１のビューラーの可動部材が閉位置に位置付けられた状態を示す斜視図であり、図３は、図１のビューラーよりスプレー部材が取り外された状態を示す分解図であり、図４は、図１のビューラーの一部を切り欠いて示す概略斜視図であり、図５は、図１のビューラーの噴射部材及び操作部材を示す斜視図であり、図６は、図１のビューラーの可動部材が開位置に位置付けられた状態を示す概略断面図であり、図７は、図１のビューラーの可動部材が閉位置に位置付けられた状態を示す概略断面図であり、図８は、図１のビューラーの本体部の作用部がスプレー部材のノズル部に作用した状態を示す概略断面図である。
【００２５】
図１〜図８を参照して、図示のビューラー２は、ビューラー本体４と、ビューラー本体４の第１開口６（後述する）に上下方向に移動自在に装着された可動部材８と、ビューラー本体４に非作用位置と作用位置との間を移動自在に装着された噴射部材１０と、可動部材８を上下方向に移動させるための操作部材１２と、ビューラー本体４に着脱自在に装着されたスプレー部材１４と、を備えている。以下、これら各構成要素について詳細に説明する。なお、以下の説明において、「上方向」とは図１〜図８において上方向を示し、また「下方向」とは図１〜図８において下方向を示すものとする。
【００２６】
ビューラー本体４は、可動部材８が装着される第１本体部１６と、噴射部材１０が装着される第２本体部１８と、スプレー部材１４を着脱自在に装着するための取付部２０と、を備えている。第１本体部１６は、上カバー部２２と、この上カバー部２２の両端部より下方向に延びる一対の側カバー部２４と、一対の側カバー部２４の下端部に上カバー部２２と対向して設けられた底板部２６と、から構成されている。第１本体部１６の一側面（図６において左側の側面）には第１開口６が設けられ、またその他側面（図６において右側の側面）には第２開口２８が設けられ、上カバー部２２及び一対の側カバー部２４の内側には噴射空間３０が規定されている。第１本体部１６の一側面は、下方に向かって傾斜するテーパ状に構成されており、第１開口６の上側部は凹状に構成され、その両端部にはそれぞれ下方に突出する第１当接部３２が設けられている。側カバー部２４の外側部の第１開口６側には上下方向に延びる案内突部３４が設けられ、また底板部２６の中央部には円形状の開口部３６が設けられている。底板部２６の第１開口６側には、凹状の切欠きを有する遮蔽板３８（図３参照）が上方向に延びて設けられており、この遮蔽板３８の一側面（図６において右側の側面）の中央部には係止用孔４０が設けられている。
【００２７】
第２本体部１８は円筒状に構成され、第１本体部１６の底板部２６より下方向に延びて設けられている。第２本体部１８の内側面の軸方向中間部には、径方向内方に突出した環状突部４２が設けられており、第２本体部１８の上端部の第１開口６側には、矩形状の第１切欠き部４４が設けられ、またその第２開口２８側には、矩形状の第２切欠き部４６が設けられている。
【００２８】
取付部２０は円筒状に構成され、第２本体部１８の下端部に保持位置と解除位置との間を回転自在に装着されている。取付部２０の内側面には、複数の係止突部４８が周方向に所定の間隔を置いて設けられており（図６参照）、取付部２０が解除位置から保持位置に位置付けられると、複数の係止突部４８は取付部２０の径方向内方に向けて移動され、また取付部２０が保持位置から解除位置に位置付けられると、複数の係止突部４８は取付部２０の径方向外方に向けて移動される。
【００２９】
可動部材８は、凹状に湾曲した板状のカバー本体部５０と、カバー本体部５０の両端部よりそれぞれカバー本体部５０の凸面側（図６において右側）に延びる一対のスライド部５２と、カバー本体部５０の下端部より下方向に延びる被支持部５４と、から構成されている。カバー本体部５０の上端部には、その一端部から他端部にかけて、例えばシリコンゴムなどの軟性樹脂で形成された緩衝部材５６が設けられている。スライド部５２には縦長の案内孔５８が設けられており、この案内孔５８にはビューラー本体４の案内突部３４が上下方向に移動自在に受け入れられ、一対のスライド部５２は、各側カバー部２４の第１開口６側にそれぞれ上下方向にスライド移動自在に装着される。これにより、可動部材８は、ビューラー本体４の第１開口６に、開位置（最も下方の位置）と閉位置（最も上方の位置）との間を上下方向に移動自在に装着されることとなる。また、被支持部５４には、操作部材１２の支持部６０（後述する）の先端部が移動自在に挿入される貫通孔６２が設けられている。
【００３０】
噴射部材１０は本体部６４を備えており、この本体部６４は、筒状部６６と、筒状部６６の下端部より下方に延びる円筒状の作用部６８と、から構成されている。筒状部６６の外側部には、その上端より一対のスリット７０が実質上平行に軸方向下方に延びて設けられており、この一対のスリット７０によって、長板状の係止片７２が筒状部６６（すなわち、本体部６４）の外側部に形成される（図５参照）。この係止片７２は、その下端部を中心として係止位置と解除位置との間を弾性的に揺動自在に構成されている。係止片７２の先端部７３（上端部）は、筒状部６６の径方向外方に折り曲げられるとともに、筒状部６６の上端よりも幾分上方向に突出され、さらに係止片７２の外側部には、三角形状の作用突部７４が設けられている。また、筒状部６６の外側部の係止片７２とは反対側には、板状の第２当接部７６が径方向外方に延びて設けられている。作用部６８は、スプレー部材１４のノズル部７８（後述する）を押圧するためのものであり、作用部６８の下端部には、下方向に突出した押圧突部８０と、この押圧突部８０の周囲より下方向に延びる円筒状のカバー部８２と、が設けられている。本体部６４の内部には、作用部６８から本体部６４の上端（すなわち、筒状部６６の上端）まで貫通して延びる噴射流路８４が形成されており、筒状部６６内における噴射流路８４の外径は、作用部６８内における噴射流路８４の外径よりも大きく構成されている。この噴射流路８４に関連して、作用部６８（押圧突部８０）の下端には導入開口８６が設けられ、また筒状部６６の上端には噴射開口８８が設けられている。また、作用部６８内における噴射流路８８には、径方向内方に突出した複数の羽根体（図示せず）が螺旋状に配設されている。
【００３１】
この噴射部材１０の本体部６４は、ビューラー本体４の第２本体部１８の内部に非作用位置と作用位置との間を上下方向に移動自在に装着され、底板部２６の開口部３６及び第２本体部１８の環状突部４２が、本体部６４が第２本体部１８の内部を移動する際のガイドとして機能される。このように本体部６４が第２本体部１８の内部に装着された状態において、係止片７２は第１開口６側に配設され、また第２当接部７６は第２開口２８側に配設される。本体部６４が非作用位置に位置付けられた状態では、本体部６４の上端部が第２本体部１８の底板部２６の開口部３６よりも上側に幾分突出され（図６参照）、また本体部６４が作用位置に位置付けられた状態では、本体部６４の上端面が第２本体部１８の底板部２６の上側面と実質上同一平面上に位置付けられる（図８参照）。なお、本体部６４に関連してストッパー機構（図示せず）が設けられており、本体部６４は、このストッパー機構の作用により、非作用位置よりも上側及び作用位置よりも下側には移動できないように構成されている。
【００３２】
操作部材１２は、環状の装着部９０と、装着部９０より径方向外方（図６において右方向）に延びる環状のハンドル部９２と、装着部９０よりハンドル部９２とは反対方向（図６において左方向）に延びる棒状の支持部６０と、から構成されている（図４〜図６参照）。装着部９０は、噴射部材１０の本体部６４の外周部に移動自在に装着され、この装着部９０は、係止片７２の作用突部７４の先端部よりも下側に配設されており、操作部材１２の支持部６０側が上方向に移動すると、装着部９０の一部がこの作用突部７４に作用するように構成されている。また、ハンドル部９２は、第２本体部１８の第２切欠き部４６を通してビューラー本体４の外部に配設され、また支持部６０の先端部は、所定角度でもって下方に折り曲げられ、第２本体部１８の第１切欠き部４４を通して可動部材８の被支持部５４の貫通孔６２に移動自在に挿入されている。
【００３３】
スプレー部材１４は、円柱状のスプレー本体部９４と、スプレー本体部９４の上端部より上方向に延びるノズル部７８と、から構成されている。スプレー本体部９４の内部には保持液空間（図示せず）が設けられ、この保持液空間には、睫毛を所定の状態に保持するための保持液が圧縮ガスとともに充填されており、ノズル部７８と保持液空間とは開閉弁（図示せず）を介して連通されている。ノズル部７８は、バネ（図示せず）などによって上方向に弾性的に付勢されており、ノズル部７８が弾性復元力に抗して下方向に押圧されることにより開閉弁が開放され、保持液空間内の保持液が圧縮ガスの作用によってノズル部７８の先端部より上方向に向けて噴射される。また、スプレー本体部９４の外側部の上端部には、環状の係止凹部９６が設けられている（図３参照）。
【００３４】
このスプレー部材１４は、次のようにしてビューラー本体４に着脱自在に装着される。まず、ビューラー本体４の取付部２０を解除位置に位置付けておき、スプレー部材１４のノズル部７８側を取付部２０の下端部より取付部２０内へ挿入し、取付部２０を例えば時計方向（図３中の矢印Ｐで示す方向）に所定回転角度（例えば、６０度）だけ回転させると、取付部２０が解除位置から保持位置に位置付けられ、取付部２０の複数の係止突部４８が径方向内方に向けて移動してスプレー本体部９４の係止凹部９６に嵌合される。これにより、スプレー本体部９４の外側部が複数の係止突部４８によって挟持され、スプレー部材１４がビューラー本体４に装着される。このようにスプレー部材１４がビューラー本体４に装着された状態において、ノズル部７８の先端部が噴射部材１０の作用部６８の押圧突部８０に作用し、噴射部材１０の本体部６４は、ノズル部７８の弾性復元力により上方向に押し上げられて非作用位置に位置付けられる（図６参照）。
【００３５】
スプレー部材１４をビューラー本体４から取り外す際には、取付部２０を例えば反時計方向（図３中の矢印Ｑで示す方向）に所定回転角度（例えば、６０度）だけ回転させる。このように取付部２０を回転させると、取付部２０が保持位置から解除位置に位置付けられ、取付部２０の複数の係止突部４８が径方向外方に向けて移動してスプレー本体部９４の係止凹部９６から離脱され、これにより、スプレー部材１４をビューラー本体４から取り外すことが可能となる。
【００３６】
また、本実施形態のビューラー２では、噴射部材１０の本体部６４に関連して、本体部６４の移動を阻止するための移動阻止機構９８が設けられている。この移動阻止機構９８は、上述した係止片７２及び係止用孔４０から構成されており、本体部６４の移動を阻止する移動阻止状態と、本体部６４の移動の阻止を解除する移動解除状態とに選択的に保持される。係止片７２は、移動阻止機構９８が移動阻止状態である時には係止位置に位置付けられ、また移動阻止機構９８が移動解除状態である時には解除状態に位置付けられる。この移動阻止機構９８の構成及び動作については後述する。
【００３７】
次に、主として図６〜図８を参照して、本実施形態のビューラー２を用いて、睫毛を保持して睫毛に保持液を付ける方法について説明する。ビューラー２を使用する前の状態においては、操作部材１２の装着部９０の支持部６０側は、そのハンドル部９２側よりも下方に配置されており、これにより支持部６０の先端部の作用によって可動部材８の被支持部５４が下方（図６中の矢印Ｓで示す方向）に押し下げられ、ビューラー本体４の案内突部３４の上端部が可動部材８の案内孔５８の上端部に当接されて（図１参照）、可動部材８が開位置に位置付けられる。また、係止片７２は係止位置に位置付けられ、その先端部７３がビューラー本体４の係止用孔４０に係止されることにより移動阻止機構９８が移動阻止状態に保持され、これにより噴射部材１０の本体部６４は、下方向への移動が阻止されて非作用位置に位置付けられた状態に保持される（図６参照）。
【００３８】
マスカラを睫毛に付けるなどしてアイメイクを施した後に、このビューラー２を手に持ちビューラー本体４の第１開口６側を顔に近接対置させ、睫毛をビューラー本体４の第１開口６より挿入して噴射空間３０に配設させる。可動部材８のカバー本体部５０及び第１開口６の上側部は、顔の骨格や瞼の形状などに応じて凹状に形成されているので、ビューラー本体４を容易に顔に近接対置させることができる。操作部材１２のハンドル部９２に手の指などを掛け、このハンドル部９２をビューラー本体４に近接する方向（図６中の矢印Ｘで示す方向）に操作すると、操作部材１２のハンドル部９２の一部と第２当接部７６との接触部を力の支点として、梃子の原理により操作部材１２の支持部６０が上方向に移動される。このように操作部材１２の支持部６０が上方向に移動すると、支持部６０の先端部が被支持部５４の貫通孔６２内を移動することにより、可動部材８が支持部６０の先端部によって押し上げられて上方向（図６中の矢印Ｔで示す方向）に移動する。
【００３９】
このように可動部材８が上方向に移動すると、可動部材８の上端部の両端部が第１開口６の第１当接部３２（すなわち、ビューラー本体４の一部）に当接されて可動部材８が閉位置に位置付けられ、これにより第１開口６に挿入した睫毛が、第１開口６の上側部と可動部材８の上端部に設けた緩衝部材５６との間に挟圧されて保持される（図２及び図７参照）。すなわち、第１開口６の上側部は上挟圧部として機能し、また可動部材８の上端部（緩衝部材５６）は上挟圧部と協働して睫毛を挟圧するための下挟圧部として機能し、睫毛はこれら上挟圧部と下挟圧部との間に挟圧されることとなる。可動部材８の上端部の両端部が第１当接部３２に当接されると、緩衝部材５６と第１開口６の上側部との間に僅かな間隙が形成され、これにより睫毛が必要以上に強い力で挟圧されることがないため、アイメイクによりカールさせた睫毛の形状が崩れてしまうおそれがない。また、可動部材８が閉位置に位置付けられた状態では、目やその周囲が、可動部材８のカバー本体部５０及びビューラー本体４の上カバー部２２によって覆われる。なお、この第１当接部３２は、ビューラー本体４側に設けることに代えて、可動部材８の上端部に設けるようにしてもよい。
【００４０】
可動部材８の上端部の両端部が第１当接部３２に当接すると、操作部材１２の装着部９０の一部が係止片７２の作用突部７４に作用し、係止片７２が所定方向（図７中の矢印Ｍで示す方向）に揺動され、これにより係止片７２が係止位置から解除位置に位置付けられる。このように係止片７２が係止位置から解除位置に位置付けられると、移動阻止機構９８が移動阻止状態から移動解除状態となり、係止片７２の先端部７３がビューラー本体４の係止用孔４０から離脱され、これにより本体部６４の作用位置への移動が許容される。
【００４１】
このように可動部材８の上端部が第１当接部３２に当接して上方向への移動が阻止された状態において、さらに操作部材１２のハンドル部９２をビューラー本体４に近接する方向（図７中の矢印Ｘで示す方向）に操作すると、操作部材１２の支持部６０と可動部材８の貫通孔６２との接触部を支点として、梃子の原理によってハンドル部９２の一部が第２当接部７６に作用して噴射部材１０の本体部６４が下方向（図７中の矢印Ｋで示す方向）に押し下げられ、本体部６４が非作用位置から作用位置に移動する（図８参照）。本体部６４が作用位置に位置付けられると、作用部６８の押圧突部８０がスプレー部材１４のノズル部７８の先端部に作用して、ノズル部７８が作用部６８の押圧突部８０により下方に押し下げられ、これによりノズル部７８の先端部より保持液が噴射される。ノズル部７８の先端部より噴射された保持液は、作用部６８の導入開口８６より噴射流路８４へと送給され、噴射流路８４に送給された保持液は複数の羽根体（図示せず）によってその噴射力を弱められながら噴射流路８４を上方向へと流れ、噴射開口８８より噴射空間３０内の挟圧された睫毛全体に向けて保持液が霧状に噴射され、保持液が睫毛全体に均一に付着される。なお、作用部６８の押圧突部８０がノズル部７８の先端部に作用した際に、ノズル部７８の周囲が作用部６８に設けたカバー部８２によって覆われるため、ノズル部７８の先端部より噴射された保持液がノズル部７８の周囲に飛散するのを防止でき、保持液を効率よく噴射流路８４に導入することが可能となる。
【００４２】
上述のようにして保持液を睫毛に適量付着させた後、操作部材１２のハンドル部９２をビューラー本体４から離間する方向（図８中の矢印Ｙで示す方向）に操作することにより、ハンドル部９２の一部が第２当接部７６に作用しなくなり、これにより本体部６４は、ノズル部７８の上方向への弾性復元力によって上方向（図８中の矢印Ｉで示す方向）へ押し上げられて作用位置から非作用位置へと移動し、また可動部材８は、その自重により閉位置から開位置へと下方向（図６中の矢印Ｓで示す方向）へ移動する。本体部６４が非作用位置に位置付けられると、係止片７２は、弾性復元力により上記所定方向とは反対方向（図８中の矢印Ｎで示す方向）に揺動して解除位置から係止位置に移動し、係止片７２の先端部７３がビューラー本体４の係止用孔４０に係止され、これにより移動阻止機構９８が移動解除状態から移動阻止状態となる。
【００４３】
本実施形態のビューラー２では、次のような作用効果が達成される。可動部材８が閉位置に位置付けられた状態においては、目やその周囲は、可動部材８のカバー本体部５０及びビューラー本体４の上カバー部２２（すなわち、ビューラー本体４の第１開口６よりも上側部分）によって覆われるので、噴射開口８８より噴射された保持液が目やその周囲に付着するのを防止することができ、目の粘膜や目の周囲の皮膚などを保護することが可能となる。なお、噴射空間３０と第１開口６との間には遮蔽板３８が配設されているので、保持液が、第１開口６の下側部とカバー本体部５０の下端部との間の空間９９（図２参照）を通してビューラー本体４の外部（すなわち、顔側）に漏出することがない。また、可動部材８の上端部が第１当接部３２に当接して上方向への移動が阻止されることによって、本体部６４の作用部６８がスプレー部材１４のノズル部７８に作用するので、睫毛が上挟圧部と下挟圧部との間に挟圧された後でなければ保持液が噴射されることがない。例えば、指や異物などが第１開口６に挿入された状態で操作部材１２を操作した場合には、可動部材８の上端部が第１当接部３２に当接されないため操作部材１２の装着部９０一部が係止片７２に作用せず、これにより本体部６４の作用位置への移動が許容されることがないので、保持液がノズル部７８より噴射されてしまうことがなく、保持液が目やその周囲に付着するのをより確実に防止することが可能となる。
【００４４】
第２の実施形態
次に、図９及び図１０を参照して、第２の実施形態のビューラーについて説明する。図９は、第２の実施形態によるビューラーの可動部材が開位置に位置付けられた状態を示す概略断面図であり、図１０は、図９のビューラーの可動部材が閉位置に位置付けられた状態を示す概略断面図である。なお、以下の実施形態において、第１の実施形態と実質上同一の構成要素には同一の符号を付し、その説明を省略する。
【００４５】
第２の実施形態のビューラー２Ａでは、スプレー部材１４Ａのノズル部７８Ａに筒状の被作用部１００が一体的に設けられており、この被作用部１００の上端部の外周部には、複数の嵌合凹部１０２が周方向に所定の間隔を置いて設けられている。また、噴射部材１０Ａの本体部６４Ａは、筒状部６６Ａと、この筒状部６６Ａの下端部より下方に延びる筒状の作用部６８Ａと、から構成されている。被作用部１００の外径は、作用部６８Ａの内径と実質上同一に（又は、作用部６８Ａの内径よりも僅かに小さく）構成され、また作用部６８Ａの内側部の上端部には、複数の嵌合凹部１０２に対応して径方向内方に突出する複数の嵌合突部１０３が設けられている。本体部６４Ａの筒状部６６Ａの内部には、上下方向（軸方向）に貫通して延びる第１噴射流路８４Ａａが形成され、また被作用部１００の内部には、上下方向（軸方向）に貫通して延びる第２噴射流路８４Ａｂが形成されており、第２噴射流路８４Ａｂはノズル部７８Ａを介してスプレー本体部９４の保持液空間（図示せず）と連通されている。また、第２噴射流路８４Ａｂには、径方向内方に突出した複数の羽根体（図示せず）が螺旋状に設けられている。
【００４６】
スプレー部材１４Ａがビューラー本体４Ａに取り付けられると、ノズル部７８Ａの被作用部１００が作用部６８Ａの内部に挿入され、作用部６８Ａの内側部に設けた複数の嵌合突部１０３が被作用部１００の複数の嵌合凹部１０２にそれぞれ嵌合される。これにより、作用部６８Ａと被作用部１００とが相互に嵌合され、第１噴射流路８４Ａａは第２噴射流路８４Ａｂと連通される。本体部６４Ａが非作用位置から作用位置に移動すると、嵌合突部１０３が嵌合凹部１０２に作用され、これにより本体部６４Ａの作用部６８Ａがノズル部７８Ａの被作用部１００に作用してノズル部７８Ａが押圧される。
【００４７】
したがって、本体部６４Ａの作用部６８Ａはノズル部７８Ａの被作用部１００に嵌合されるので、本体部６４Ａをノズル部７８Ａに確実に作用させることが可能となる。なお、本体部６４Ａの作用部６８Ａ及びノズル部７８Ａの被作用部１００の構成は、図９及び図１０に図示した形状に限定されず、作用部６８Ａ及び被作用部１００が相互に嵌合される構成であればよい。また、作用部６８Ａの形状は、被作用部１００の設けられていないノズル部を有するスプレー部材ではビューラー本体４Ａに取り付けることができない形状とすることが好ましく、このような形状とすることにより、例えば誤って他の種類のスプレー部材をビューラー本体４Ａに装着してしまうおそれがなくなる。なお、上述した嵌合凹部１０２及び嵌合突部１０３はそれぞれ１つずつ設けるようにしてもよい。
【００４８】
また、第２の実施形態のビューラー２Ａでは、可動部材８Ａのカバー本体部５０Ａの凸面側には、第２開口２８側に向けて突出する作用突部１０４が設けられ、また遮蔽板３８Ａの一側面（図９において右側の側面）の中央部にはフック状の係止部材１０６が設けられ、係止部材１０６の先端部は第２開口２８側に所定角度でもって折り曲げられている。また、噴射部材１０Ａの筒状部６６Ａの外側部の第２当接部７６とは反対側には、筒状部６６Ａの上端部より上側に延びる板バネ部材１０８が設けられている。この板バネ部材１０８は板状に構成され、係止位置と解除位置との間を弾性的に移動自在に構成されており、この板バネ部材１０８の上側部には、係止部材１０６の先端部が係止される係止用開口１１０が設けられている。
【００４９】
第２の実施形態の移動阻止機構９８Ａは、これら作用突部１０４、係止部材１０６及び板バネ部材１０８から構成されており、次にこの移動阻止機構９８Ａの動作について説明すると、可動部材８Ａが開位置に位置付けられている状態においては、移動阻止機構９８Ａは移動阻止状態となっており、板バネ部材１０８は非弾性変形状態となって係止位置に位置付けられ、係止部材１０６の先端部が板バネ部材１０８の係止用開口１１０に係止され、これにより噴射部材１０Ａの本体部６４Ａは下方向への移動が阻止される。この状態より操作部材１２のハンドル部９２を図９中の矢印Ｘで示す方向に操作して、可動部材８Ａの上端部の両端部が第１当接部３２に当接すると、可動部材８Ａに設けた作用突部１０４が板バネ部材１０８の上端部に作用し、板バネ部材１０８が所定方向（図９中の矢印Ｍで示す方向）に湾曲されて弾性変形され、板バネ部材１０８が係止位置から解除位置に位置付けられる。このように板バネ部材１０８が係止位置から解除位置に位置付けられると、移動阻止機構９８Ａが移動阻止状態から移動解除状態となり、係止部材１０６の先端部が板バネ部材１０８の係止用開口１１０から離脱され、これにより本体部６４Ａの作用位置への移動が許容される。
【００５０】
このように本体部６４Ａの作用位置への移動が許容された後に、さらに操作部材１２のハンドル部９２を図１０中の矢印Ｘで示す方向に操作すると、上述したのと同様に、ハンドル部９２の一部が第２当接部７６に作用して本体部６４Ａが下方向に押し下げられ、これにより本体部６４Ａが非作用位置から作用位置へと移動し、本体部６４Ａの作用部６８Ａがノズル部７８Ａの被作用部１００に作用してノズル部７８Ａより保持液が噴射される。睫毛に保持液を適量付着させた後に、操作部材１２のハンドル部９２を図１０中の矢印Ｙで示す方向に操作すると、本体部６４Ａはノズル部７８Ａの弾性復元力により上方向に押し上げられ、これにより本体部６４Ａは作用位置から非作用位置へ移動する。本体部６４Ａが非作用位置へ移動すると、板バネ部材１０８は、弾性復元力によって図１０中の矢印Ｎで示す方向に揺動して解除位置から係止位置へと移動し、係止部材１０６の先端部が再び板バネ部材１０８の係止用開口１１０に係止されて、移動阻止機構９８Ａが移動解除状態から移動阻止状態となる。
【００５１】
この第２の実施形態のビューラー２Ａにおいても、上述した実施形態と同様の作用効果が達成される。
第３の実施形態
次に、図１１及び図１２を参照して、第３の実施形態のビューラーについて説明する。図１１は、第３の実施形態によるビューラーの可動部材が開位置に位置付けられた状態を示す概略断面図であり、図１２は、図１１のビューラーの可動部材が閉位置に位置付けられた状態を示す概略断面図である。
【００５２】
第３の実施形態のビューラー２Ｂでは、移動阻止機構９８Ｂは、ビューラー本体４Ｂに設けられた係止部材１１２と、噴射部材１０Ｂの筒状部６６Ｂ（本体部６４Ｂ）の外側部に設けられた係止用孔１１４と、から構成されている。係止部材１１２はクランク状に構成され、棒状の係止本体部１１６と、係止本体部１１６の上端部より所定方向（図１１において左側方向）に実質上垂直に延びる作用端部１１８（すなわち、係止部材１１２の他端部）と、係止本体部１１６の下端部より上記所定方向とは反対方向（図１１において右側方向）に実質上垂直に延びる係止端部１２０（すなわち、係止部材１１２の一端部）と、から構成されている。この係止部材１１２の係止本体部１１６は、操作部材１２の装着部９０と筒状部６６Ｂの外側部との間を通り、係止本体部１１６の上端部が支持機構（図示せず）によって係止位置と解除位置との間を揺動自在に支持され、また係止部材１１２の作用端部１１８は、遮蔽板３８Ｂの中央部の下端部に設けた収容開口１２２に配設される。すなわち、この係止部材１１２は、係止本体部１１６の上端部を中心として揺動自在であり、例えばねじりバネ（図示せず）によって図１２中の矢印Ｖで示す方向（反時計方向）に弾性的に付勢されている。また、係止用孔１１４は、筒状部６６Ｂの外側部の第２当接部７６とは反対側に設けられている。
【００５３】
次に、この移動阻止機構９８Ｂの動作について説明すると、可動部材８が開位置に位置付けられている状態においては、移動阻止機構９８Ｂは移動阻止状態となっており、係止部材１１２はねじりバネの作用によって係止位置に位置付けられてその係止端部１２０が本体部６４Ｂの係止用孔１１４に係止され、これにより本体部６４Ｂの下方向への移動が阻止される。この状態より操作部材１２のハンドル部９２を図１１中の矢印Ｘで示す方向に操作すると支持部６０が上方向に移動し、これにより可動部材８が上方向に移動して開位置から閉位置に位置付けられる。このように支持部６０が上方向に移動すると、支持部６０の一部が係止部材１１２の作用端部１１８に作用し、係止部材１１２がねじりバネの作用に抗して図１１中の矢印Ｕで示す方向（時計方向）に揺動されて係止位置から解除位置に移動し、移動阻止機構９８Ｂが移動阻止状態から移動解除状態となって係止端部１１８が係止用孔１１４から離脱され、本体部６４Ｂの作用位置への移動が許容される。
【００５４】
このように本体部６４Ｂの作用位置への移動が許容された後に、さらに操作部材１２のハンドル部９２を図１２中の矢印Ｘで示す方向に操作すると、上述したのと同様に、ハンドル部９２の一部が第２当接部７６に作用して本体部６４Ｂが下方向に押し下げられ、これにより本体部６４Ｂが非作用位置から作用位置へと移動し、本体部６４Ｂの作用部６８がノズル部（図示せず）に作用してノズル部より保持液が噴射される。睫毛に保持液を適量付着させた後に、操作部材１２のハンドル部９２を図１２中の矢印Ｙで示す方向に操作すると、本体部６４Ｂはノズル部の弾性復元力により上方向に押し上げられ、これにより本体部６４Ｂは作用位置から非作用位置へ移動する。本体部６４Ｂが非作用位置へ移動すると、係止部材１１２は、ねじりバネの弾性復元力によって図１２中の矢印Ｖで示す方向に揺動して解除位置から係止位置へと移動し、係止端部１２０が再び本体部６４Ｂの係止用孔１１４に係止されて、移動阻止機構９８Ｂが移動解除状態から移動阻止状態となる。
【００５５】
以上、本発明に従うビューラーの各種実施形態について説明したが、本発明はかかる実施形態に限定されるものではなく、本発明の範囲を逸脱することなく種々の変形乃至修正が可能である。
【００５６】
例えば、上記実施形態では、ビューラー本体４（４Ａ，４Ｂ）の第１本体部１６に第２開口２８を設けたが、このような第２開口２８を省略してもよく、あるいは、この第２開口２８にシャッタ部材を開閉自在に設けるようにしてもよい。これにより、噴射開口１０より噴射された保持液が第２開口２８を通して外部に飛散するのを防止することができる。
【００５７】
また例えば、上記実施形態では、可動部材８（８Ａ）の上端部に緩衝部材５６を設けたが、ビューラー本体４の第１開口６の上側部にも同様に緩衝部材を設けるようにしてもよく、あるいは、これら緩衝部材を省略するようにしてもよい。
【図面の簡単な説明】
【００５８】
【図１】第１の実施形態によるビューラーの可動部材が開位置に位置付けられた状態を示す斜視図である。
【図２】図１のビューラーの可動部材が閉位置に位置付けられた状態を示す斜視図である。
【図３】図１のビューラーよりスプレー部材が取り外された状態を示す分解図である。
【図４】図１のビューラーの一部を切り欠いて示す概略斜視図である。
【図５】図１のビューラーの噴射部材及び操作部材を示す斜視図である。
【図６】図１のビューラーの可動部材が開位置に位置付けられた状態を示す概略断面図である。
【図７】図１のビューラーの可動部材が閉位置に位置付けられた状態を示す概略断面図である。
【図８】図１のビューラーの本体部の作用部がスプレー部材のノズル部に作用した状態を示す概略断面図である。
【図９】第２の実施形態によるビューラーの可動部材が開位置に位置付けられた状態を示す概略断面図である。
【図１０】図９のビューラーの可動部材が閉位置に位置付けられた状態を示す概略断面図である。
【図１１】第３の実施形態によるビューラーの可動部材が開位置に位置付けられた状態を示す概略断面図である。
【図１２】図１１のビューラーの可動部材が閉位置に位置付けられた状態を示す概略断面図である。
【符号の説明】
【００５９】
２，２Ａ，２Ｂ  ビューラー
４，４Ａ，４Ｂ  ビューラー本体
６  第１開口
８，８Ａ  可動部材
１０，１０Ａ，１０Ｂ  噴射部材
１２  操作部材
１４，１４Ａ  スプレー部材
３２  第１当接部
４０  係止用孔
６４，６４Ａ，６４Ｂ  本体部
６８，６８Ａ  作用部
７２  係止片
７４  作用突部
７６  第２当接部
７８，７８Ａ  ノズル部
８２  カバー部
８４，８４Ａａ，８４Ａｂ  噴射流路
９８，９８Ａ，９８Ｂ  移動阻止機構
１００  被作用部
【図１】
2006305012.tif 000003
【図２】
2006305012.tif 000004
【図３】
2006305012.tif 000005
【図４】
2006305012.tif 000006
【図５】
2006305012.tif 000007
【図６】
2006305012.tif 000008
【図７】
2006305012.tif 000009
【図８】
2006305012.tif 000010
【図９】
2006305012.tif 000011
【図１０】
2006305012.tif 000012
【図１１】
2006305012.tif 000013
【図１２】
2006305012.tif 000014